(57)【要約】      （修正有）【課題】切除した生体組織を速やかに回収することができる医療用鉗子および同医療用鉗子を備えた医療用鉗子システムを提供する。【解決手段】医療用鉗子１００は、第一パイプ３と、第一パイプ３の内部に挿通された第二パイプ２と、第二パイプ２の内部に挿通された第三パイプ１と、第二パイプ２の内部に連通する供給口２５と、第二パイプ２の先端に接続され、バネ性の材料で形成されたバネ部材５と、バネ部材５に接続された開閉部材４と、を備え、第一パイプ３を第二パイプ２に対して先端側に相対移動させることで、第一パイプ３は開閉部材４を第二の位置に移動させる。【選択図】図１
2018143664.tif 000002
【特許請求の範囲】
【請求項１】
第一パイプと、
前記第一パイプの内部に挿通された第二パイプと、
前記第二パイプの内部に挿通された第三パイプと、
前記第二パイプの内部に連通する供給口と、
前記第二パイプの先端に接続され、バネ性の材料で形成されたバネ部材と、
前記バネ部材に接続された開閉部材と、
を備える医療用鉗子であって、
前記第二パイプは先端口と前記供給口のみが開口しており、
前記第二パイプと前記第三パイプとは、長手方向に相対移動しないように固定され、
前記開閉部材が第一の位置にあるとき、前記第一パイプの先端口および前記第二パイプの先端口は外部空間と連通しており、
前記開閉部材が第二の位置にあるとき、前記開閉部材と前記第二パイプとが密接して、前記第一パイプの先端口と前記第二パイプの先端口とにのみ連通する内部空間を形成し、
前記バネ部材は前記開閉部材を第一の位置に付勢しており、
前記第一パイプを前記第二パイプに対して先端側に相対移動させることで、前記第一パイプは前記開閉部材を第二の位置に移動させる、
医療用鉗子。
【請求項２】
前記開閉部材は複数で構成されている、
請求項１に記載の医療用鉗子。
【請求項３】
前記開閉部材は、少なくとも一部に鋭利部が形成されている、
請求項１または請求項２に記載の医療用鉗子。
【請求項４】
前記内部空間は、先端側が半球状になっている、
請求項１から請求項３のいずれか一項に記載の医療用鉗子。
【請求項５】
前記第三パイプの内面が、長手方向に見て真円形状である、
請求項１から請求項４のいずれか一項に記載の医療用鉗子。
【請求項６】
二つの把持部材で構成され、二つの把持部材の基端部が接続され、二つの把持部材の先端部が離間する方向に付勢された把持部と、
前記把持部の基端部と前記第二パイプの基端部を固定する第二パイプ支持部と、
両端部が前記把持部の先端側にそれぞれ接続され、中央部が前記第一パイプの外面で、前記両端部よりも前記第一パイプの先端側に接続されている第一パイプ押し出し部と、を有するハンドルをさらに備える、
請求項１から請求項５のいずれか一項に記載の医療用鉗子。
【請求項７】
前記開閉部材が前記第二の位置にあることを検出する開閉センサをさらに備える、
請求項１から請求項６のいずれか一項に記載の医療用鉗子。
【請求項８】
前記開閉センサは、第一導体部と第二導体部とで構成され、
前記開閉部材が前記第一の位置にあるときに、前記第一導体部と前記第二導体部とは接触せず、
前記開閉部材が前記第二の位置にあるときに、前記第一導体部と前記第二導体部とは接触する、
請求項７に記載の医療用鉗子。
【請求項９】
請求項７または請求項８に記載の医療用鉗子と、
空気の吸引を行う吸引部と、
組織を診断する診断装置と、
前記吸引部からの吸引圧を前記医療用鉗子の前記第三パイプにかけ、前記医療用鉗子から回収した生体を分離して前記診断装置に送る分離部と、
前記医療用鉗子の前記供給口に水を供給する水供給部と、
を備える医療用鉗子システム。
【請求項１０】
スイッチを有する制御部をさらに備え、
前記制御部は、前記開閉センサが前記開閉部材が前記第二の位置にあることを検出し、かつ、前記スイッチが押された場合、前記吸引部を通常吸引圧で起動させる、
請求項９に記載の医療用鉗子システム。
【請求項１１】
前記制御部は、前記吸引部を通常吸引圧で起動させたあと、前記水供給部からの水の供給を開始させる、
請求項１０に記載の医療用鉗子システム。
【請求項１２】
スイッチを有する制御部をさらに備え、
前記制御部は、前記開閉部材が前記第二の位置にないことを前記開閉センサが検出し、かつ、前記スイッチが押された場合、前記吸引部を低吸引圧で起動させる、
請求項９に記載の医療用鉗子システム。
【請求項１３】
前記制御部は、前記吸引部を低吸引圧で起動させている際に、前記開閉部材が前記第二の位置にあることを前記開閉センサが検出した場合、前記吸引部を通常吸引圧で起動させる、
請求項１２に記載の医療用鉗子システム。
【請求項１４】
前記制御部は、前記吸引部を通常吸引圧で起動させている際に、前記開閉部材が前記第二の位置にないことを前記開閉センサが検出した場合、前記吸引部と前記水供給部とを停止させる、
請求項１０、請求項１１、請求項１３のいずれか一項に記載の医療用鉗子システム。
【請求項１５】
前記医療用鉗子の位置を計測し、前記診断装置による診断結果を患部画像上に表示するナビゲーションシステムをさらに備える請求項９から請求項１４のいずれか一項に記載の医療用鉗子システム。
【発明の詳細な説明】
【技術分野】
【０００１】
本発明は、医療用鉗子および同医療用鉗子を備えた医療用鉗子システムに関する。本発明は、手術中に、とりわけ脳神経外科手術中に、腫瘍等の異常な組織と正常な組織とを短時間で識別しつつ手術を行う場合に特に有用である。
【背景技術】
【０００２】
腫瘍除去手術のうち、腫瘍等の異常な組織と正常な組織との視認による識別は困難なものと知られている。とりわけ脳神経外科手術中における、脳組織の腫瘍の識別は非常に難しい。
【０００３】
腫瘍除去手術を行う場合においては、切除による生体への影響を最低限とするため、腫瘍等の異常な組織と正常な組織とを識別し、可能な限り腫瘍等の異常な組織のみを切除するように手術することが求められる。
【０００４】
そのため、生体組織を切除し、切除した生体組織を回収して細胞組織検査を行い、その生体組織が腫瘍等の異常な組織であるか識別した上で、生体組織のさらなる切除を行うかの判断を行う場合がある。特許文献１には、生体組織を吸引可能な鉗子器具が記載されている。
【先行技術文献】
【特許文献】
【０００５】
【特許文献１】特許第３５１７２４７号公報
【発明の概要】
【発明が解決しようとする課題】
【０００６】
しかしながら、生体組織を切除して細胞組織検査を行いつつ、腫瘍除去手術を進める場合、頻繁な生検鉗子器具の出し入れが必要となり手間と時間がかかる。これらは迅速に行うことが望ましい手術における課題となっていた。
【０００７】
上記事情を踏まえ、本発明は、切除した生体組織を速やかに回収することができる医療用鉗子と、当該医療用鉗子を備えた医療用鉗子システムを提供することを目的とする。
【課題を解決するための手段】
【０００８】
上記課題を解決するために、この発明は以下の手段を提案している。
本発明に係る医療用鉗子は、第一パイプと、前記第一パイプの内部に挿通された第二パイプと、前記第二パイプの内部に挿通された第三パイプと、前記第二パイプの内部に連通する供給口と、前記第二パイプの先端に接続され、バネ性の材料で形成されたバネ部材と、前記バネ部材に接続された開閉部材と、を備える医療用鉗子であって、前記第二パイプは先端口と前記供給口のみが開口しており、前記第二パイプと前記第三パイプとは、長手方向に相対移動しないように固定され、前記開閉部材が第一の位置にあるとき、前記第一パイプの先端口および前記第二パイプの先端口は外部空間と連通しており、前記開閉部材が第二の位置にあるとき、前記開閉部材と前記第二パイプとが密接して、前記第一パイプの先端口と前記第二パイプの先端口とにのみ連通する内部空間を形成し、前記バネ部材は前記開閉部材を第一の位置に付勢しており、前記第一パイプを前記第二パイプに対して先端側に相対移動させることで、前記第一パイプは前記開閉部材を第二の位置に移動させる。
【０００９】
本発明に係る医療用鉗子は、二つの把持部材で構成され、二つの把持部材の基端部が接続され、二つの把持部材の先端部が離間する方向に付勢された把持部と、前記把持部の基端部と前記第二パイプの基端部を固定する第二パイプ支持部と、両端部が前記把持部の先端側にそれぞれ接続され、中央部が前記第一パイプの外面で、前記両端部よりも前記第一パイプの先端側に接続されている第一パイプ押し出し部と、を有するハンドルをさらに備えてもよい。
【００１０】
本発明に係る医療用鉗子は、前記開閉部材が前記第二の位置にあることを検出する開閉センサをさらに備えてもよい。
【００１１】
本発明に係る医療用鉗子システムは、上記の医療用鉗子と、空気の吸引を行う吸引部と、生体を診断する診断装置と、前記吸引部からの吸引圧を前記医療用鉗子の前記第三パイプにかけ、前記医療用鉗子から回収した生体を分離して前記診断装置に送る分離部と、前記医療用鉗子の前記供給口に水を供給する水供給部と、スイッチを有する制御部と、前記医療用鉗子の位置を計測し、前記診断装置による診断結果を患部画像上に表示するナビゲーションシステムと、を備える。
【発明の効果】
【００１２】
本発明の医療用鉗子によれば、切除した生体組織を速やかに回収することができる。
【図面の簡単な説明】
【００１３】
【図１】本発明の第一実施形態の医療用鉗子の全体構成を示す図である。
【図２】同医療用鉗子を図１と異なる角度からみた図である。
【図３】同医療用鉗子の一対の開閉部材が第一の位置にある場合の断面図である。
【図４】同医療用鉗子の一対の開閉部材が第二の位置にある場合の断面図である。
【図５】同医療用鉗子の供給経路および回収経路の変形例を示す図である。
【図６】本発明の第二実施形態の医療用鉗子の全体構成を示す図である。
【図７】同医療用鉗子の把持部が初期位置にある場合の鉗子の側面図である。
【図８】同医療用鉗子の把持部を挟み込んだ場合の鉗子の上面図である。
【図９】本発明の第三実施形態の医療用鉗子の全体構成を示す図である。
【図１０】同医療用鉗子の把持部の上面図である。
【図１１】本発明の第四実施形態の医療用鉗子システムの機能構成図である。
【図１２】同医療用鉗子システムの制御部による制御の一例である。
【図１３】同医療用鉗子システムの制御部による制御の一例である。
【図１４】同医療用鉗子システムの制御部による制御の一例である。
【図１５】同医療用鉗子システムの制御部による制御の一例である。
【発明を実施するための形態】
【００１４】
（第一実施形態）
本発明の医療用鉗子１００の第一実施形態について図１から図５を参照して説明する。
【００１５】
図１は、医療用鉗子（以下、「鉗子」と称す）１００の構成を示す図である。図２は鉗子１００を図１と異なる角度からみた図である。鉗子１００は、図１に示すように、小パイプ（第三パイプ）１と、中パイプ（第二パイプ）２と、大パイプ（第一パイプ）３と、一対の開閉部材４と、一対の板バネ（バネ部材）５と、を備える。
【００１６】
図３は、一対の開閉部材４が中パイプ２と離れた位置（第一の位置）にある場合の鉗子１００の断面図である。
図４は、一対の開閉部材４が中パイプ２と密接する位置（第二の位置）にある場合の鉗子１００の断面図である。
【００１７】
小パイプ１は、長尺形状に構成された、内部に空洞を有する管である。小パイプ１は、図１から図４に示すように、先端部１０における開口である先端口１１と、基端部１２における開口である基端口１３とを有する。小パイプ１において、先端口１１と基端口１３のみが開口している。小パイプ１の内部空間は、生体組織を回収する回収経路１４となる。そのため、小パイプの内径は、回収の対象となる生体組織が通過可能な大きさを有している。回収対象の生体組織は、先端口１１から回収経路１４に回収され、回収経路１４を通過して基端口１３から排出される。生体組織が通過しやすいよう、小パイプ１の内面は、長手方向に見て真円形状であることが好ましい。
【００１８】
中パイプ２は、長尺形状に構成された、内部に空洞を有する管である。中パイプ２は、図１および図３に示すように、先端部２０における開口である先端口２１を有する。中パイプ２の内径は、小パイプ１の外径よりも大きく、中パイプ２の内部を小パイプ１が挿通している。中パイプ２の内面と小パイプ１の外面の間には、水や空気が通過する供給経路２４が形成される。
【００１９】
中パイプ２は、図２に示すように、小パイプ１に対して長手方向に相対移動しないように、中パイプ２の基端部２２で小パイプ１と接続されている。中パイプ２の基端部２２は、開口しておらず、塞がれている。基端部２２は、中パイプ２の基端側を塞ぐとともに、中パイプ２と小パイプ１とを接続している。小パイプ１は、中パイプ２の基端部２２を貫通して突出している。
【００２０】
図１から図４に示すように、中パイプ２の基端部２２よりも先端側に、中パイプ２の内部の供給経路２４に連通する供給口２５が設けられている。供給口２５には、例えば、図示しないシリンジなどがチューブを介して接続され、シリンジから洗浄水が供給される。中パイプ２は、先端口２１と供給口２５のみが開口しており、供給口２５から供給された洗浄水などは、先端口２１から排出される。
【００２１】
大パイプ３は、長尺形状に構成された、内部に空洞を有する管である。大パイプ３は、図１から図４に示すように、先端部３０における開口である先端口３１と、基端部３２における開口である基端口３３とを有する。大パイプ３の内径は、中パイプ２の外径よりも大きく、大パイプ３の内部を中パイプ２が挿通している。大パイプ３の内面と中パイプ２の外面の間には水等を通過させないため、大パイプ３は先端口３１と基端口３３以外の開口を有していてもよい。
【００２２】
大パイプ３は、中パイプ２に対して長手方向に相対移動させることができる。中パイプ２は、先端部２０から基端部２２にわたる領域の外周が同じ外径で形成されている。また、大パイプ３は、先端部３０から基端部３２にわたる領域の内周が、中パイプ２の外径よりわずかに大きい内径で形成されている。そのため、大パイプ３を中パイプ２に沿ってスライドさせることで、中パイプ２に対して長手方向に相対移動させることができる。
【００２３】
一対の開閉部材４は、図１から図４に示すように、中パイプ２の先端部２０に設けられた開閉部材であり、第一開閉部材４１と第二開閉部材４２とで構成される。一対の開閉部材４は、後述する一対の板バネ５を介してそれぞれが中パイプ２の先端部２０と接続されている。
【００２４】
一対の開閉部材４が中パイプ２の先端部２０と離れた位置（第一の位置：開時）にある場合、図３に示すように、小パイプ１の先端口１１および中パイプ２の先端口２１は外部空間と連通する。一方、一対の開閉部材４が中パイプ２の先端部２０と密接する位置（第二の位置：閉時）にある場合、図４に示すように、小パイプ１の先端口１１および中パイプ２の先端口２１は外部空間と連通しない。
すなわち、一対の開閉部材４は、小パイプ１の先端口１１および中パイプ２の先端口２１における外部空間との開閉を行う。
【００２５】
図１および図３に示すように、第一開閉部材４１は、第二開閉部材４２と接触する部分に、半円弧状の第一接触面４１ａを有する。また、第二開閉部材４２は、第一開閉部材４１と接触する部分に、半円弧状の第二接触面４２ａを有する。
【００２６】
第一開閉部材４１と第二開閉部材４２とは、第二の位置にある場合、第一開閉部材４１の第一接触面４１ａと、第二開閉部材４２の第二接触面４２ａとは対向する面となり密接する。
【００２７】
一対の開閉部材４は、第二の位置にある場合、図４に示すように、中パイプ２の先端部２０と接触する部分に、円環状の接触面４０ａを形成する。中パイプ２の先端部２０は、一対の開閉部材４と接触する部分に、一対の開閉部材４の接触面４０ａと対向する、円環状の接触面２０ａを有している。一対の開閉部材４が第二の位置にある場合、一対の開閉部材４の接触面４０ａと中パイプ２の接触面２０ａとは、隙間なく密接する。
【００２８】
すなわち、一対の開閉部材４が第二の位置にある場合、図４に示すように、第一開閉部材４１と第二開閉部材４２と中パイプ２の先端部２０とは、隙間なく密接する。このとき、小パイプ１の先端口１１および中パイプ２の先端口２１は外部空間と連通しない。
【００２９】
一対の開閉部材４が第二の位置にある場合、図４に示すように、一対の開閉部材４と中パイプ２の先端部２０とは、小パイプ１の先端口１１と中パイプ２の先端口２１のみに連通する内部空間４３を形成する。すなわち、一対の開閉部材４が第二の位置にある場合、小パイプ１の先端口１１と中パイプ２の先端口２１とは内部空間４３を介して連通する。
【００３０】
図４に示すように、第一開閉部材４１と第二開閉部材４２とが第二の位置にある場合、一対の開閉部材４は、先端側の中心が丸みを帯びて突出した円柱形状となる。この円柱形状の最大外径は、大パイプ３の最小内径よりも小さく、第二の位置にある一対の開閉部材４は大パイプ３の内部を挿通可能である。
【００３１】
また、第一開閉部材４１と第二開閉部材４２とが第二の位置にある場合に形成される内部空間４３の先端側は半球状となっている。
【００３２】
一対の開閉部材４が第二の位置にある状態において、供給口２５から水が供給された場合、供給された洗浄水が供給経路２４を通過して先端口２１から内部空間４３に排出される。内部空間４３は、図４に示すように、小パイプ１の先端口１１にも連通しているため、洗浄水は小パイプ１の先端口１１から回収経路１４を通過して、小パイプ１の基端口１３から排出される。
内部空間４３は、図４に示すように、先端側が半球状になっているため、洗浄水が中パイプ２の先端口２１から、小パイプ１の先端口１１にスムーズに流れる。
【００３３】
第一開閉部材４１の第一接触面４１ａと、第二開閉部材４２の第二接触面４２ａとは、先端側の対向する部分の少なくとも一部に、接触面積が小さく鋭利となった鋭利部（４１ｂ、４２ｂ）を有している。第一開閉部材４１の第一接触面４１ａの鋭利部４１ｂと、第二開閉部材４２の第二接触面４２ａの鋭利部４２ｂとが接触する部分は、生体組織を切除しやすい。
【００３４】
一対の板バネ５は、バネ性を有する板状の弾性部材である。一対の板バネ５は、一対の開閉部材４をそれぞれ中パイプ２の先端部２０に接続している。一対の板バネ５は変形することで、一対の開閉部材４を第一の位置から第二の位置、および第二の位置から第一の位置に移動させる。
【００３５】
一対の板バネ５は、一対の開閉部材４を第一の位置に支持するように付勢されている。そのため、一対の板バネ５および一対の開閉部材４に外力が加えられていない場合、一対の板バネ５は、一対の開閉部材４を第一の位置に保持し、小パイプ１の先端口１１および中パイプ２の先端口２１は外部空間と連通する。
【００３６】
一対の板バネ５は、一対の開閉部材４の外周部と、中パイプ２の先端部２０の外周部とに、溶接等により接続されている。それぞれの外周部に一対の板バネ５を接続することで、一対の開閉部材４が第二の位置にある場合に形成される内部空間４３から、一対の板バネ５を隔離できる。これにより、内部空間４３を通過する生体組織や洗浄水から、一対の板バネ５を隔離できる。
【００３７】
一対の開閉部材４の外周部および中パイプ２の先端部２０の外周部には、一対の板バネ５を格納するための窪みが設けられており、一対の板バネ５は、その窪みに格納され、溶接等により固定される。
そのため、一対の板バネ５は、一対の開閉部材４および中パイプ２の外周部に凸部を形成しない。よって、大パイプ３が中パイプ２および第二の位置にある一対の開閉部材４に対して長手方向に相対移動する際に、大パイプ３の移動を妨げる障害物とならない。
【００３８】
鉗子１００は、腫瘍除去手術の処置に使用するため、回収経路１４は腫瘍等の異常な組織が通過できる程度の内径を有している。例えば、脳神経外科手術に使用する場合は、小パイプ１は内径１．５ｍｍ、外径１．８ｍｍであり、中パイプ２は内径２．４ｍｍ、外径２．７ｍｍであり、大パイプ３は内径２．７５ｍｍ〜２．８５ｍｍ、外径３．０ｍｍであることが好ましいが、必ずしもこれに限らず適宜サイズを変更することができる。
【００３９】
次に、鉗子１００の動作について説明する。はじめに、使用者は、大パイプ３の外周部と、中パイプ２の基端部２２との二カ所を持ち、大パイプ３を中パイプ２に対して基端側に相対移動させる。一対の開閉部材４は一対の板バネ５の付勢力により、第一の位置に移動する。使用者は、第一の位置にある一対の開閉部材４を切除したい生体組織に近づける。
【００４０】
次に、使用者は大パイプ３を中パイプ２に対して先端側に相対移動させる。大パイプ３は、一対の板バネ５もしくは第一の位置にある一対の開閉部材４もしくはその両方と係合し、一対の開閉部材４を第二の位置に移動させる。
【００４１】
使用者は、中パイプ２を大パイプ３に対して基端側に相対移動させるのではなく、大パイプ３を中パイプ２に対して先端側に相対移動させる。こうすることで、使用者は、切除対象の生体組織と一対の開閉部材４との相対位置関係を保ったまま、一対の開閉部材４を第一の位置から第二の位置に移動させることができる。
【００４２】
切除対象の腫瘍等と思われる生体組織は、一対の開閉部材４の第一接触面４１ａと第二接触面４２ａによって切離される。鋭利部が形成された箇所を生体組織に接触させることで、より好適に生体組織は切離される。切離された生体組織は、内部空間４３の内部に保持される。
【００４３】
次に、使用者は、小パイプ１の基端口１３に接続されたチューブからの吸引を開始する。合わせて供給口２５に洗浄水を供給し、供給経路２４に洗浄水を供給する。
【００４４】
この時、供給口２５に供給する洗浄水に圧力をかけ、加圧した洗浄水を供給経路２４および内部空間４３に供給することで、効率的に生体組織を回収経路１４から回収を行うこともできる。
【００４５】
内部空間４３に保持された生体組織は、小パイプ１の基端口１３からの吸引、および、供給経路２４からの水流によって、回収経路１４を通過して、小パイプ１の基端口１３から排出される。排出された生体組織は、回収して細胞組織検査を行い、その生体組織が腫瘍等であるか識別する。その識別結果に基づき、生体組織のさらなる切除を行うかの判断を行う。
【００４６】
供給経路２４からの水流によって、一対の開閉部材４の内部空間４３や回収経路１４の洗浄が完了しているため、別途、鉗子１００を取り出して洗浄する必要なく、腫瘍除去手術を継続することができる。
【００４７】
（第一実施形態の効果）
本実施形態の鉗子１００によれば、大パイプ３を中パイプ２に対して先端側に相対移動させることで、使用者は、切除対象の生体組織と一対の開閉部材４との相対位置関係を保ったまま、一対の開閉部材４を第一の位置から第二の位置に移動させ、生体組織を切離することができる。また、鉗子１００は、生体組織を切離して保持し、切離した生体組織を水流とともに吸引し、同時に、回収経路１４の洗浄を実施することができる。これにより、使用者は、切離した生体組織を容易に回収できる。また、回収した生体組織に細胞組織検査を実施し、生体組織が腫瘍等であるかを判断し、さらなる生体組織の切除が必要な場合は、鉗子１００の生体への出し入れをせずに、腫瘍除去手術を継続することができる。
【００４８】
（変形例）
以上、本発明の第一実施形態について図面を参照して詳述したが、具体的な構成はこの実施形態に限られるものではなく、本発明の要旨を逸脱しない範囲の設計変更等も含まれる。また、上述の第一実施形態および変形例において示した構成要素は適宜に組み合わせて構成することが可能である。
【００４９】
例えば、上記実施形態では、二つの開閉部材は互いに対向する部分（４１ａ、４２ａ）に鋭利部（４１ｂ、４２ｂ）を有しており、一対の開閉部材４を密着させることで、二つの鋭利部により生体組織を切離することが可能である。しかしながら、一対の開閉部材４は鋭利部を必ずしも有していなくてもよい。一対の開閉部材４は鋭利部を有さなくとも生体組織を切除することができる。また、他の処置具等により生体組織が切離された場合に、鉗子１００が切離された生体組織を二つの開閉部材により挟み込み、生体組織を回収してもよい。
【００５０】
一対の開閉部材４が第二の位置にある場合に、一対の開閉部材４と中パイプ２とが、小パイプ１の先端口１１と中パイプ２の先端口２１のみに連通する内部空間４３を形成する限り、一対の開閉部材４と中パイプ２の先端部２０との密接態様はどのようなものであってもよい。
【００５１】
また、上記実施形態では、開閉部材は一対の開閉部材４であり、第一開閉部材４１と第二開閉部材４２とで構成されている。しかしながら、開閉部材の構成はこれに限定されない。開閉部材は二つでなくてもよい。例えば、開閉部材は一つでもいいし、３つ以上で構成されていてもよい。
【００５２】
また、上記実施形態では、一対の開閉部材４の両方を移動可能としていた。しかしながら、一対の開閉部材４の構成はこれに限定されない。例えば、一方の開閉部材を移動不可能に固定しておき、もう一方の開閉部材のみを移動させることで、一対の開閉部材を開閉させる構成であってもよい。稼働部品点数を減らすことで、稼働動作が原因による不良動作の発生頻度を低減できる。
【００５３】
また、上記実施形態では、小パイプ１は中パイプ２に対し長手方向に相対移動しないように固定されている。しかしながら、小パイプ１と中パイプ２との構成はこれに限定されない。一対の開閉部材４が閉じられると同時に、小パイプ１が中パイプ２に対し長手方向の先端側に相対移動する構成であってもよい。中パイプ２の先端口２１が、一対の開閉部材４が閉じられるにしたがって、先端側に突出し、切離した生体組織に近づく事が可能となる。これにより、一対の開閉部材４が第二の位置に移動された後、切離した生体組織と中パイプ２の先端口２１がより近くに位置し、生体組織の回収が容易となる。
【００５４】
また、図５に示すように、中パイプ２の内部を二つの経路に分離し、一方を供給経路２４Ａとし、もう一方を回収経路１４Ａとしてもよい。供給経路２４Ａおよび回収経路１４Ａの位置を明確に分離し、洗浄水が排出される位置を明確に固定できる。
【００５５】
（第二実施形態）
本発明の第二実施形態について、図６から図８を参照して説明する。本実施形態は、大パイプ３の開閉動作が第一実施形態と異なっている。以降の説明において、既に説明したものと共通する構成については、同一の符号を付して重複する説明を省略する。
【００５６】
図６は、本実施形態の鉗子２００の構成を示す図である。鉗子２００は、図６に示すように、鉗子１００と比較して、さらにハンドル６を備える。ハンドル６は、把持部６０と、中パイプ支持部（第二パイプ支持部）６２と、大パイプ押し出し部（第一パイプ押し出し部）６３と、を有する。
【００５７】
図７は、把持部６０が後述する初期位置にある場合の鉗子２００の側面図である。
図８は、把持部６０を挟み込んだ場合の鉗子２００の上面図である。
【００５８】
把持部６０は、ピンセット形状であり、二つの把持部材で構成されている。二つの把持部材は基端部６１において接続されており、基端部６１は二つの把持部材の両先端部が離間する方向に移動するように付勢されている。二つの把持部材の両先端部が最も離間した位置を把持部６０の初期位置とする。二つの把持部材を挟み込むことで、二つの把持部材の両先端部は近づく。把持部材を挟み込んでいた力を解消すると、基端部６１の付勢力で、把持部６０は初期位置に戻る。
【００５９】
中パイプ支持部６２は、把持部６０の基端部６１と、中パイプ２の基端部２２とを、同じ位置関係に固定する部材である。そのため、中パイプ２は、中パイプ支持部６２により、把持部６０に対して長手方向に相対移動できない。
【００６０】
大パイプ押し出し部６３は、両端部が把持部６０の両先端部にそれぞれ接続されており、中央部が大パイプ３の外面で、両端部よりも前記第一パイプの先端側に接続されている。そのため、大パイプ押し出し部６３は、把持部６０の二つの把持部材が挟み込まれ、両端部が接近すると、中央部が大パイプ３の長手方向の先端側に押し出されるように移動する。把持部材を挟み込んでいた力を解消すると、大パイプ押し出し部６３はもとの位置に戻る。
なお、大パイプ押し出し部６３の両端部は、把持部６０の先端部でなくても、先端側に接続されていればよい。
【００６１】
次に、鉗子２００の動作について説明する。
使用者は、鉗子２００の把持部６０の二つの把持部材を持つ。把持部は６０はピンセット形状であり、二つの把持部を片手だけで把持することができる。このとき、把持部６０は初期位置にあり、大パイプ３は中パイプ２に対して基端側に配置される。また、一対の開閉部材４は第一の位置にある。
【００６２】
使用者は、鉗子２００を移動させ、第一の位置にある一対の開閉部材４を切除したい生体組織に近づける。
【００６３】
次に、使用者は把持部６０の二つの把持部材を挟み込み、大パイプ押し出し部６３の両端部を近づける。大パイプ押し出し部６３の中央部は、大パイプ３を中パイプ２に対して先端側に相対移動させる。大パイプ３が中パイプ２に対して先端側に相対移動することで、鉗子１００の動作の説明で述べたように、生体組織は切除される。
【００６４】
把持部材を挟み込んでいた力を解消すると、把持部６０が初期位置に戻り、大パイプ押し出し部６３は大パイプ３を中パイプ２に対して基端側に相対移動させる。
すなわち、把持部６０は初期位置に移動するように基端部６１が付勢されているため、把持部材に力を加えて挟み込まなければ、大パイプ３は基端側に配置される。
【００６５】
（第二実施形態の効果）
本実施形態の鉗子２００によれば、第一実施形態の鉗子１００の効果に加え、片手で安定して一対の開閉部材４の開閉を行い、生体組織の切除を実施することができる。
【００６６】
（第三実施形態）
本発明の第三実施形態について、図９と図１０を参照して説明する。本実施形態は、一対の開閉部材４の開閉を検知できる開閉センサを備えている点が第二実施形態と異なっている。以降の説明において、既に説明したものと共通する構成については、同一の符号を付して重複する説明を省略する。
【００６７】
図９は、本実施形態の鉗子３００の構成を示す図である。鉗子３００は、図９に示すように、鉗子２００と比較して、さらに開閉検知部７をハンドル６の一部として備える。
【００６８】
開閉検知部７は、Ｌ字形状の部材で、先端部７ａは大パイプ３の基端部３２付近に固定されている。開閉検知部７の基端部７ｂには、導電体で形成された第二導体部８ｂが設けられている。
【００６９】
中パイプ支持部６２Ａは、第二実施形態の中パイプ支持部６２と同様、把持部６０の基端部６１と、中パイプ２の基端部２２とを、同じ位置関係に固定する部材である。中パイプ支持部６２Ａは、開閉検知部７の基端部７ｂを収容可能なスリット６２ａをさらに有している。スリット６２ａ内側の先端側には、導電体で形成された第一導体部８ａが設けられている。
【００７０】
図１０（ａ）は、把持部６０が初期位置にある場合の鉗子３００の上面図である。
図１０（ｂ）は、把持部６０を挟み込んだ場合の鉗子３００の上面図である。
【００７１】
図１０（ａ）が示すように、把持部６０が初期位置にある場合、第二導体部８ｂが形成された開閉検知部７の基端部７ｂは、スリット６２ａの基端側に収容される。この状態において、第一導体部８ａと第二導体部８ｂとは接触しない。
【００７２】
図１０（ｂ）が示すように、把持部６０が挟み込まれると、大パイプ３は、第二実施形態と同様に、中パイプ２および中パイプ支持部６２Ａに対して長手方向の先端側に相対移動する。この際、大パイプ３に固定された開閉検知部７も、中パイプ２および中パイプ支持部６２Ａに対して長手方向の先端側に相対移動する。
【００７３】
開閉検知部７が、中パイプ支持部６２Ａに対して長手方向の先端側に相対移動し、第一導体部８ａと第二導体部８ｂとは接触する。
第一導体部８ａと第二導体部８ｂとの位置関係は、一対の開閉部材４が第二の位置にある場合に、接触するように調整されている。つまり、一対の開閉部材４が閉じた場合に、第一導体部８ａと第二導体部８ｂとは接触する。
【００７４】
一対の導体部８（第一導体部８ａと第二導体部８ｂ）とが接触した場合に、第一導体部８ａと第二導体部８ｂとが通電するような電気配線を設け、その通電を検出することで、一対の開閉部材４が閉じたことを検出することができる。
【００７５】
なお、一対の開閉部材４が閉じたことを検出できる第一導体部８ａと第二導体部８ｂはハンドル６を有さない鉗子１００に設けられていてもよい。大パイプ３と中パイプ２に、第一導体部８ａと第二導体部８ｂとが、一対の開閉部材４が第二の位置にある場合に接触するように設けられていれば、鉗子３００同様、一対の開閉部材４が閉じたことを検出することができる。
【００７６】
（第三実施形態の効果）
本実施形態の鉗子２００によれば、第一実施形態の鉗子１００および第二実施形態の鉗子２００の効果に加え、一対の開閉部材４が閉じたことを検出することができる。
【００７７】
（第四実施形態）
本発明の第四実施形態について、図１１から図１５を参照して説明する。以降の説明において、既に説明したものと共通する構成については、同一の符号を付して重複する説明を省略する。
【００７８】
図１１は、本実施形態に係る医療用鉗子システム４００の機能構成図である。医療用鉗子システム４００は、鉗子３００と、吸引部９１と、分離部９２と、迅速診断装置９３と、制御部９４と、ナビゲーションシステム９５を備える。図１１中、太線による接続はチューブによる物理的な接続を意味し、細線による接続は電気信号による制御を目的とした接続を意味する。
【００７９】
水供給部９０は、鉗子３００の供給口２５に対して洗浄水を供給する装置である。供給口２５への洗浄水の供給は、電磁バルブによって制御されている。電磁バルブ信号をＯＮとすることで、洗浄水の供給を行い、電磁バルブ信号をＯＦＦとすることで、洗浄水の供給を停止する。
【００８０】
吸引部９１は、吸引ポンプやレギュレータ等で構成された空気を吸引する装置である。後述する制御部９４からの吸引部動作信号がＯＮの場合に、チューブを介して接続された分離部から空気の吸引を開始する。吸引部動作信号がＯＦＦの場合、空気の吸引は停止する。
【００８１】
分離部９２は、鉗子３００と、吸引部９１と、迅速診断装置９３とチューブを介して接続されている。吸引部９１が分離部９２に対して空気の吸引を開始すると、分離部９２は吸引圧を鉗子３００の小パイプ１と接続されたチューブにかける。その結果、小パイプ１の先端口１１からの吸引が開始される。
【００８２】
小パイプ１による吸引が開始されると、小パイプ１の回収経路１４を経由して、切除した生体組織や洗浄水がチューブを経由して分離部９２まで吸引される。分離部９２のフィルター機能等により、洗浄水の大部分と生体組織とは分離され、生体組織は迅速診断装置９３に送られる。
【００８３】
迅速診断装置９３には、公知の生体組織を診断する装置を使用できる。回収した生体組織が腫瘍等であるか、正常な生体組織であるかを迅速に診断することができる。
【００８４】
制御部９４は、吸引スイッチ９６を含む、医療用鉗子システム４００を制御する装置である。電気信号等で入力される入力信号に基づいて、医療用鉗子システム４００の各機器を制御する信号を出力する。プログラムが動作する機器であるＰＣやシーケンサ等で構成されていてもよい。
【００８５】
吸引スイッチ９６は、医療用鉗子システム４００の使用者が、吸引を開始するために操作するスイッチである。使用者は、医療用鉗子システム４００による吸引を開始したい際に、吸引スイッチ９６をＯＮにする。また、使用者は、医療用鉗子システム４００による吸引を停止したい際に、吸引スイッチ９６をＯＦＦにする。
【００８６】
制御部９４は、鉗子３００の第一導体部８ａと第二導体部８ｂとに、電気配線により接続されている。そのため、第一導体部８ａと第二導体部８ｂとが通電したことを検出して、一対の開閉部材４が閉じていることを検出することができる。以降、この検出機構を「開閉センサ」と称す。開閉センサの出力が「閉」の場合は、一対の開閉部材４が閉じたこと（第二の位置）を検出していることを意味する。逆に、開閉センサの出力が「開」の場合は、一対の開閉部材４が開いたこと（第一の位置）を検出していることを意味する。
【００８７】
ナビゲーションシステム９５は、手術中の患部と鉗子３００の位置関係等を表示する医療支援機器である。迅速診断装置９３による診断結果は、ナビゲーションシステム９５にも転送され、ナビゲーションシステム９５の表示画面に表示される。
【００８８】
鉗子３００の一部に３次元マーカや傾きセンサ等を搭載し、医療用鉗子システム４００が鉗子３００の位置（３次元座標）を計測して取得するように構成してもよい。鉗子３００の一対の開閉部材４が閉じた位置、すなわち、生体組織を切除した位置を、切除した生体組織と関連づけることができる。この他、医療用鉗子の位置を３次元で追跡することが可能となる。
ナビゲーションシステム９５において、手術中の患部位置と、切除した生体組織の位置と、その生体組織の迅速診断装置９３による診断結果とを、合わせて表示すれば、使用者は、どこで切離した生体組織が腫瘍等であるかの判断をより容易に行う事が可能となる。
【００８９】
次に制御部９４による制御について説明する。
「吸引」においては、制御部９４は、吸引スイッチ９６がＯＮとされた場合であっても、開閉センサの出力が「閉」でないと、吸引部動作信号をＯＮにしない。すなわち、一対の開閉部材４が開いた状態では、吸引スイッチ９６をＯＮにしても、吸引は開始されない。
【００９０】
開閉センサの出力が「閉」である場合に、吸引スイッチ９６がＯＮとなると、図１２に示すように、制御部９４は吸引部動作信号をＯＮとし、吸引部９１による空気の吸引を開始させる。この時の吸引部９１による吸引圧は通常圧である。
吸引が開始されてから一定時間経過したのちに、制御部９４は電磁バルブ信号をＯＮとし、水供給部９０からの洗浄水の供給を開始させる。制御部９４は、洗浄水の供給が一定時間行われたのち、洗浄水の供給を停止させる。洗浄水は、一対の開閉部材４や回収経路１４を洗浄する機能も有する。これらの洗浄が行われるため、連続して生体組織を切除して回収し診断することができる。なお、ここでは吸引が開始されて一定時間経過した後に洗浄水の供給を開始する制御について説明したが、吸引と、供給は同時に行われてもよい。
【００９１】
制御部９４は、上記の「吸引」の制御とは別の制御を行ってもよい。例えば、制御部９４は、一対の開閉部材４が閉じていない状態で、吸引部９１による吸引を動作させ、一対の開閉部材４の前方にある生体組織を小パイプ１の先端口１１に「吸着」させる制御を行ってもよい。
開閉センサの出力が「開」である場合に、使用者により吸引スイッチ９６がＯＮとされると、図１３に示すように、制御部９４は吸引部動作信号をＯＮとし、吸引部９１による空気の吸引を開始させる。この時の吸引部９１による吸引圧は低圧である。電磁バルブ信号はＯＦＦのままで、洗浄水は供給されない。
【００９２】
「吸引」および「吸着」のいずれの制御においても、制御部９４は、吸引部動作信号をＯＮにする前に、吸引スイッチ９６が一定時間ＯＮとなっているかを確認する。制御部９４は、吸引スイッチ９６が短期間ＯＮとなっただけでは、吸引スイッチ９６がＯＮにならないように制御して、誤動作を防止する。
【００９３】
また、上記の「吸着」と「吸引」を組み合わせて制御することもできる。図１４に示すように、開閉センサの出力が「開」である場合に、使用者により吸引スイッチ９６がＯＮとされると、「吸着」の制御が開始される。切除対象の生体組織が、一対の開閉部材４に十分近づいた段階で、使用者は一対の開閉部材４を閉じる。制御部９４が開閉センサの出力が「閉」に変化したことを検出すると、制御部９４は「吸引」の制御を開始する。制御部９４は吸引部９１による吸引圧を通常圧に引き上げる。また、制御部９４は電磁バルブ信号をＯＮにして、洗浄水の提供を開始する。
【００９４】
さらに、制御部９４は、「吸引」の制御時に、一対の開閉部材４が誤って開いた場合の安全制御も実施することができる。図１５に示すように、吸引スイッチ９６がＯＮの状態で、開閉センサの出力が「閉」から「開」に変化した場合、制御部９４は一対の開閉部材４が誤って開いたと判断し、吸引部動作信号をすぐにＯＦＦにして吸引部９１を停止させ、また、電磁バルブをＯＦＦにして洗浄水の提供も停止させる。
【００９５】
（第四実施形態の効果）
本実施形態の医療用鉗子システム４００によれば、一対の開閉部材４の開閉状態の検出結果と、使用者の吸引スイッチ９６の操作結果とから、医療用鉗子システム４００に最適な動作を判断させて実施させることができる。使用者が自ら制御するべき項目を減らすことができ、使用者は手術に集中できる。また、使用者の鉗子３００や操作スイッチに対する誤った操作による医療用鉗子システム４００の誤動作も削減できる。
【００９６】
次に、医療用鉗子システム４００により生体組織を吸引する際の吸引圧を評価するために行った実験とその結果について説明する。
【００９７】
（実験  生体組織の吸引圧に関する検討）
（１  実験の設定）
腫瘍代替モデル（正常なブタ脳）を鉗子３００を用いて切除して吸引する。吸引部９１の吸引圧は−１０、−２０、−３０［ｋＰａ］の３種類である。
小パイプ１は内径１．５ｍｍ、外径１．８ｍｍであり、中パイプ２は内径２．４ｍｍ、外径２．７ｍｍであり、大パイプ３は内径２．７５ｍｍ〜２．８５ｍｍ、外径３．０ｍｍである。
電磁バルブ信号は常時ＯＮとして、供給された洗浄水とともに腫瘍代替モデルの吸引を行った。
吸引前の切除した腫瘍代替モデルの質量を計測し、その質量を目標回収質量とした。各吸引圧にて吸引を行い、回収した腫瘍代替モデルの質量が目標回収質量に達しているかを評価した。数回の試行を行い、その平均値による評価を行った。
【００９８】
（２  実験結果）
吸引圧が−１０ＫＰａの場合、回収した腫瘍代替モデルの質量は目標回収質量を下回っていた。一方、吸引圧が−２０ＫＰａおよび−３０ＫＰａの場合、医療用鉗子システム４００は、目標回収質量の生体組織を回収できた。
【産業上の利用可能性】
【００９９】
本発明は、医療用鉗子、とりわけ脳神経外科手術に使用する鉗子、および同医療用鉗子を備えた医療用鉗子システムに適用することができる。
【符号の説明】
【０１００】
１００，２００，３００  医療用鉗子
４００  医療用鉗子システム
１      小パイプ（第三パイプ）
４      開閉部材
５      バネ部材
６      ハンドル
７      開閉検知部
８ａ    第一導体部
８ｂ    第二導体部
１１    小パイプの先端口
１３    小パイプの基端口
１４    回収経路
２      中パイプ（第二パイプ）
２１    中パイプの先端口
２４    供給経路
２５    供給口
３      大パイプ（第一パイプ）
３１    大パイプの先端口
３３    大パイプの基端口
４      一対の開閉部材
４３    内部空間
４１    第一開閉部材
４２    第二開閉部材
６０    把持部
６２、６２Ａ  中パイプ支持部（第二パイプ支持部）
６３    大パイプ押し出し部（第一パイプ押し出し部）
９０    水供給部
９１    吸引部
９２    分離部
９３    迅速診断装置
９４    制御部
９５    ナビゲーションシステム
９６    吸引スイッチ
【図１】
2018143664.tif 000003
【図２】
2018143664.tif 000004
【図３】
2018143664.tif 000005
【図４】
2018143664.tif 000006
【図５】
2018143664.tif 000007
【図６】
2018143664.tif 000008
【図７】
2018143664.tif 000009
【図８】
2018143664.tif 000010
【図９】
2018143664.tif 000011
【図１０】
2018143664.tif 000012
【図１１】
2018143664.tif 000013
【図１２】
2018143664.tif 000014
【図１３】
2018143664.tif 000015
【図１４】
2018143664.tif 000016
【図１５】
2018143664.tif 000017